【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
互いに暗号通信を行なう第１の制御手段と第２の制御手段とを備え、対応する遊技機を動作させるための遊技用装置を有する遊技用システムであって、
前記第１の制御手段は、
鍵を用いて暗号文を生成する第１の暗号手段と、
鍵を用いて受信した暗号文を復号する第１の復号手段と、
鍵を所定の更新方法で更新する第１の鍵更新手段とを含み、
前記第２の制御手段は、
鍵を用いて暗号文を生成する第２の暗号手段と、
鍵を用いて受信した暗号文を復号する第２の復号手段と、
鍵を前記第１の鍵更新手段と同じ前記所定の更新方法で更新する第２の鍵更新手段とを含み、
前記第１の制御手段と前記第２の制御手段とは、前記第１の暗号手段と前記第２の暗号手段とが交互に生成する暗号文により前記暗号通信を行なうものであり、
前記第１の暗号手段は、前記第１の復号手段で暗号文の復号に用いられた鍵から前記第１の鍵更新手段により更新された鍵を用いて暗号文を生成し、
前記第２の暗号手段は、前記第２の復号手段で暗号文の復号に用いられた鍵から前記第２の鍵更新手段により更新された鍵を用いて暗号文を生成し、さらに
前記第１の鍵更新手段と前記第２の鍵更新手段とで鍵更新の齟齬が生じて前記第１の復号手段または前記第２の復号手段による暗号文の復号ができなかったときに、互いの鍵の初期化処理を行なう初期化処理手段を含む、遊技用システム。
【請求項２】
前記初期化処理手段は、乱数を生成して該乱数を用いて初期の鍵を生成し、該鍵を前記第１の制御手段と前記第２の制御手段との間で共有する処理を行なう、請求項１に記載の遊技用システム。
【請求項３】
前記第１の制御手段と前記第２の制御手段とは、ともに、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とをさらに含む、請求項１または２に記載の遊技用システム。
【請求項４】
互いに暗号通信を行なう第１の制御手段と第２の制御手段とを備え、対応する遊技機を動作させるための遊技用装置であって、
前記第１の制御手段は、
鍵を用いて暗号文を生成する第１の暗号手段と、
鍵を用いて受信した暗号文を復号する第１の復号手段と、
鍵を所定の更新方法で更新する第１の鍵更新手段とを含み、
前記第２の制御手段は、
鍵を用いて暗号文を生成する第２の暗号手段と、
鍵を用いて受信した暗号文を復号する第２の復号手段と、
鍵を前記第１の鍵更新手段と同じ前記所定の更新方法で更新する第２の鍵更新手段とを含み、
前記第１の制御手段と前記第２の制御手段とは、前記第１の暗号手段と前記第２の暗号手段とが交互に生成する暗号文により前記暗号通信を行なうものであり、
前記第１の暗号手段は、前記第１の復号手段で暗号文の復号に用いられた鍵から前記第１の鍵更新手段により更新された鍵を用いて暗号文を生成し、
前記第２の暗号手段は、前記第２の復号手段で暗号文の復号に用いられた鍵から前記第２の鍵更新手段により更新された鍵を用いて暗号文を生成し、さらに
前記第１の鍵更新手段と前記第２の鍵更新手段とで鍵更新の齟齬が生じて前記第１の復号手段または前記第２の復号手段による暗号文の復号ができなかったときに、互いの鍵の初期化処理を行なう初期化処理手段を含む、遊技用装置。
【請求項５】
前記初期化処理手段は、乱数を生成して該乱数を用いて初期の鍵を生成し、該鍵を前記第１の制御手段と前記第２の制御手段の間で共有する処理を行なう、請求項４に記載の遊技用装置。
【請求項６】
前記第１の制御手段と前記第２の制御手段とは、ともに、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とをさらに含む、請求項４または５に記載の遊技用装置。
【手続補正２】
【補正対象書類名】明細書
【補正対象項目名】０００７
【補正方法】変更
【補正の内容】
【０００７】
（１）  本発明は、互いに暗号通信を行なう第１の制御手段（メイン制御部３２３、またはＣＵ３、Ｐ台２、Ｚカウンタ、ＰＯＳ端末等）と第２の制御手段（ＣＵ通信制御部８０、またはＣＵ３、Ｐ台２、Ｚカウンタ、ＰＯＳ端末等）とを備え、対応する遊技機を動作させるための遊技用装置を有する遊技用システムであって、
前記第１の制御手段は、
鍵（図６７（ａ）のカウンタ）を用いて暗号文を生成する第１の暗号手段（図６７（ｂ）、図７４（ａ）のＳ１０５）と、
鍵を用いて受信した暗号文を復号する第１の復号手段（図６８）、図７４（ｂ）のＳ１３３）と、
鍵を所定の更新方法で更新する第１の鍵更新手段（図６７（ｂ）〜図７３のカウンタの更新処理）とを含み、
前記第２の制御手段は、
鍵を用いて暗号文を生成する第２の暗号手段（図６７（ｂ）、図７４（ａ）のＳ１０５）と、
鍵を用いて受信した暗号文を復号する第２の復号手段（図６８）、図７４（ｂ）のＳ１３３）と、
鍵を前記第１の鍵更新手段と同じ前記所定の更新方法で更新する第２の鍵更新手段（図６７（ｂ）〜図７３のカウンタの更新処理）とを含み、
前記第１の制御手段と前記第２の制御手段とは、前記第１の暗号手段と前記第２の暗号手段とが交互に生成する暗号文により前記暗号通信を行なうものであり、
前記第１の暗号手段は、前記第１の復号手段で暗号文の復号に用いられた鍵から前記第１の鍵更新手段により更新された鍵を用いて暗号文を生成し（図６７（ｂ）〜図７３；１回の送信または受信で（暗号文のデータ長９６バイト）／（鍵長１６バイト）＝６だけ加算更新）、
前記第２の暗号手段は、前記第２の復号手段で暗号文の復号に用いられた鍵から前記第２の鍵更新手段により更新された鍵を用いて暗号文を生成し（図６７（ｂ）〜図７３；１回の送信または受信で（暗号文のデータ長９６バイト）／（鍵長１６バイト）＝６だけ加算更新）、さらに、
前記第１の鍵更新手段と前記第２の鍵更新手段とで鍵更新の齟齬が生じて前記第１の復号手段または前記第２の復号手段による暗号文の復号ができなかったときに、互いの鍵の初期化処理を行なう初期化処理手段（図７２、図７３、図７４（ａ）、図７５（ｂ））を含む。
【手続補正３】
【補正対象書類名】明細書
【補正対象項目名】００１３
【補正方法】変更
【補正の内容】
【００１３】
（４）  本発明の他の態様は互いに暗号通信を行なう第１の制御手段（メイン制御部３２３）と第２の制御手段（ＣＵ通信制御部８０）とを備え、対応する遊技機を動作させるための遊技用装置（カード処理装置３）であって、
前記第１の制御手段は、
鍵（図６７（ａ）のカウンタ）を用いて暗号文を生成する第１の暗号手段（図６７（ｂ）、図７４（ａ）のＳ１０５）と、
鍵を用いて受信した暗号文を復号する第１の復号手段（図６８）、図７４（ｂ）のＳ１３３）と、
鍵を所定の更新方法で更新する第１の鍵更新手段（図６７（ｂ）〜図７３のカウンタの更新処理）とを含み、
前記第２の制御手段は、
鍵を用いて暗号文を生成する第２の暗号手段（図６７（ｂ）、図７４（ａ）のＳ１０５）と、
鍵を用いて受信した暗号文を復号する第２の復号手段（図６８）、図７４（ｂ）のＳ１３３）と、
鍵を前記第１の鍵更新手段と同じ前記所定の更新方法で更新する第２の鍵更新手段（図６７（ｂ）〜図７３のカウンタの更新処理）とを含み、
前記第１の制御手段と前記第２の制御手段とは、前記第１の暗号手段と前記第２の暗号手段とが交互に生成する暗号文により前記暗号通信を行なうものであり、
前記第１の暗号手段は、前記第１の復号手段で暗号文の復号に用いられた鍵から前記第１の鍵更新手段により更新された鍵を用いて暗号文を生成し（図６７（ｂ）〜図７３；１回の送信または受信で（暗号文のデータ長９６バイト）／（鍵長１６バイト）＝６だけ加算更新）、
前記第２の暗号手段は、前記第２の復号手段で暗号文の復号に用いられた鍵から前記第２の鍵更新手段により更新された鍵を用いて暗号文を生成し（図６７（ｂ）〜図７３；１回の送信または受信で（暗号文のデータ長９６バイト）／（鍵長１６バイト）＝６だけ加算更新）、さらに、
前記第１の鍵更新手段と前記第２の鍵更新手段とで鍵更新の齟齬が生じて前記第１の復号手段または前記第２の復号手段による暗号文の復号ができなかったときに、互いの鍵の初期化処理を行なう初期化処理手段（図７２、図７３、図７４（ａ）、図７５（ｂ））を含む。
【手続補正４】
【補正対象書類名】明細書
【補正対象項目名】００１８
【補正方法】変更
【補正の内容】
【００１８】
このような構成によれば、初期化処理手段による鍵を共有する処理が、鍵更新手段により更新された鍵による暗号化方式とは異なる予め定められた鍵を用いて初期化の鍵を暗号化して相手の制御手段へ送信するために、その初期化の鍵の送信時における鍵の漏洩に対するセキュリティを保つことができる。
（７）  上記（１）または（２）の遊技用システムにおいて、前記第１の制御手段と前記第２の制御手段とは、ともに、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とをさらに含む。
（８）  上記（４）または（５）の遊技用装置において、前記第１の制御手段と前記第２の制御手段とは、ともに、
認証方式の異なる複数種類の相互認証処理を前記第１の制御手段と前記第２の制御手段との間で行なう相互認証処理手段と、
該相互認証処理手段による各相互認証の単独での認証結果が不適正な場合に該単独での認証結果を認証相手の制御手段に通知せず、前記複数種類の相互認証すべてを実行した結果の異常を総括して、認証相手の制御手段に通知する総括通知手段とをさらに含む。